(57)【要約】【課題】液晶セルの表面側から回転リールが透けて見える液晶表示装置において、この回転リールが薄暗くならないようになし、かつ、強度的にも強い液晶表示装置を提供する。【解決手段】液晶セル１２と、バックライト１４と、回転リール１６とを有し、液晶セル１２の表面側から見て液晶セル１２の表示内容と回転リール１６の表示内容を同時に表示するものであり、導光板２２は、透過開口部２８が貫通し、回転リール１６を照明する突条体３０が透過開口部２８の裏面側の縁部に突出したものである。【選択図】      図１
2007071897.tif 000002
【特許請求の範囲】
【請求項１】
第１の表示部である液晶セルと、
前記液晶セルの裏面側に配され前記液晶セルを照明するバックライトと、
前記バックライトは、導光板と前記導光板の側部に配された直管状のランプと反射板とを少なくとも有し、
前記バックライトの裏面側に配置される第２の表示部が前記液晶セルの表面側から透けて見える液晶表示装置において、
前記導光板には、前記第２の表示部に対応する位置に透過開口部が貫通し、
前記第２の表示部を照明する突条体を前記透過開口部の裏面側の縁部に突出させた
ことを特徴とする液晶表示装置。
【請求項２】
第１の表示部である液晶セルと、
前記液晶セルの裏面側に配され前記液晶セルを照明するバックライトと、
前記バックライトは、導光板と前記導光板の側部に配された直管状のランプと反射板とを少なくとも有し、
前記バックライトの裏面側に配置される第２の表示部が前記液晶セルの表面側から透けて見える液晶表示装置において、
前記導光板の裏面には、前記第２の表示部に対応する位置に透過凹部が設けられ、
前記第２の表示部を照明する突条体を前記透過凹部の裏面側の縁部に突出させた
ことを特徴とする液晶表示装置。
【請求項３】
第１の表示部である液晶セルと、
前記液晶セルの裏面側に配され前記液晶セルを照明するバックライトと、
前記バックライトは、導光板と前記導光板の側部に配された直管状のランプと反射板とを少なくとも有し、
前記バックライトの裏面側に配置される第２の表示部が前記液晶セルの表面側から透けて見える液晶表示装置において、
前記導光板の表面には、前記第２の表示部に対応する位置に透過凹部が設けられ、
前記第２の表示部を照明する突条体を、前記導光板の裏面であって前記透過凹部の縁部に相当する位置に突出させた
ことを特徴とする液晶表示装置。
【請求項４】
前記透過開口部の側壁に表面側ほど外方に拡がる傾斜面が設けられた
ことを特徴とする請求項１記載の液晶表示装置。
【請求項５】
前記透過開口部の側壁に裏面側ほど外方に拡がる傾斜面が設けられた
ことを特徴とする請求項１記載の液晶表示装置。
【請求項６】
前記透過凹部の側壁に表面側ほど外方に拡がる傾斜面が設けられた
ことを特徴とする請求項２または３記載の液晶表示装置。
【請求項７】
前記透過凹部の側壁に裏面側ほど外方に拡がる傾斜面が設けられた
ことを特徴とする請求項２または３記載の液晶表示装置。
【請求項８】
前記傾斜面を、前記液晶セルを照明するプリズム形状にした
ことを特徴とする請求項４または６に記載の液晶表示装置。
【請求項９】
前記傾斜面を、前記第２の表示部を照明するプリズム形状にした
ことを特徴とする請求項５または７に記載の液晶表示装置。
【請求項１０】
前記突条体の断面形状が曲面である
ことを特徴とする請求項１から９の中で少なくとも一項に記載の液晶表示装置。
【請求項１１】
前記透過凹部の深さが、前記導光板の厚みの５０％から９０％である
ことを特徴とする請求項２または３に記載の液晶表示装置。
【請求項１２】
前記第２の表示部が、前記導光板の裏面から所定間隔を開けて配されている
ことを特徴とする請求項１から１１の中で少なくとも一項に記載の液晶表示装置。
【請求項１３】
前記第２の表示部の少なくとも一部が、前記導光板の前記透過開口部または前記透過凹部に収納されている
ことを特徴とする請求項１から１１の中で少なくとも一項に記載の液晶表示装置。
【請求項１４】
前記導光板の裏面であって、前記突条体の外方部分に前記反射板が配されている
ことを特徴とする請求項１から１１の中で少なくとも一項に記載の液晶表示装置。
【請求項１５】
前記第２の表示部が、前記第１の表示部の中央部に配されている
ことを特徴とする請求項１から１１の中で少なくとも一項に記載の液晶表示装置。
【請求項１６】
前記第２の表示部が、スロット遊技機における機械式回転リールである
ことを特徴とする請求項１から１１の中で少なくとも一項に記載の液晶表示装置。
【発明の詳細な説明】
【技術分野】
【０００１】
本発明は、スロット遊技機などに使用される液晶表示装置に関するものである。
【背景技術】
【０００２】
最近、パチンコ店などにおいて、遊技玉が所定の位置に入球することにより、盤面に設けられた画像表示装置上でスロットマシンに類似するゲームが展開されるスロット遊技機が流行している。
【０００３】
このようなスロット遊技機における画像表示装置として、液晶表示装置が用いられ、この液晶表示装置の一部に光を透過する透過部分が設けられ、この透過部分にスロットゲームを表示するための機械式の回転リールが取り付けられ、液晶表示装置の表面から見ると、液晶セルに表示された内容と回転リールで表示された数字が同時に表示する構造のものが提案されている（例えば、特許文献１及び特許文献２参照）。
【０００４】
上記のような従来の液晶表示装置の構造を図１５及び図１６に基づいて説明する。図１５は液晶表示装置１００の縦断面図であり、図１６は平面図である。
【０００５】
液晶表示装置１００は、液晶セル１０２とバックライト１０４とを積み重ねたものであり、液晶セル１０２とバックライト１０４とは、金属製のベゼルカバー１０６に収納されている。バックライト１０４の裏面側には機械式の回転リール１０８が配されている。
【０００６】
バックライト１０４は、導光板１１０と、この導光板１１０の両側部に配された直管状のランプ１１２と、ランプ１１２と導光板１１０とを覆う反射板１１４とより構成されている。
【０００７】
導光板１１０の中央部には、貫通した透過開口部１１６が設けられ、この透過開口部１１６の位置の下方に回転リール１０８が配されている。
【０００８】
この液晶表示装置１００であると、ランプ１１２，１１２の光は導光板１１０を介して液晶セル１０２の裏面側から入射し、液晶セル１０２に表示されている画像を照明する。回転式リール１０８は、透過開口部１１６を通して液晶セル１０２の表面から見ることができる。
【特許文献１】特開２００４−０８７０５公報
【特許文献２】特開２００４−５７４１９公報
【発明の開示】
【発明が解決しようとする課題】
【０００９】
しかしながら、上記の液晶表示装置１００においては、次のような問題点がある。
【００１０】
第１の問題点は、導光板１１０の中央部に透過開口部１１６が貫通しているため、液晶セル１０２を表面側から見た場合に、この透過開口部１１６の部分において、ランプ１１２，１１２からの光が届かず、他の部分よりも薄暗く見えるという問題点がある。すなわち、図１６のクロスハッチの範囲で示すように、透過開口部１１６の位置には回転リール１０８が見えるが、この表示が暗くなるという問題点がある。
【００１１】
第２の問題点としては、導光板１１０の中央部に透過開口部１１６が設けられているため、この透過開口部１１６の角部から導光板１１０の角部に向かってクラック１１８が発生し易いという問題点がある。
【００１２】
そこで、本発明は上記問題点に鑑み、液晶表示装置の裏面に配置される第２の表示部が液晶セルの表面側から透けて見える液晶表示装置において、この第２の表示部が薄暗くならないようになし、かつ、強度的にも強い液晶表示装置を提供する。
【課題を解決するための手段】
【００１３】
本発明は、第１の表示部である液晶セルと、前記液晶セルの裏面側に配され前記液晶セルを照明するバックライトと、前記バックライトは、導光板と前記導光板の側部に配された直管状のランプと反射板とを少なくとも有し、前記バックライトの裏面側に配置される第２の表示部が前記液晶セルの表面側から透けて見える液晶表示装置において、前記導光板には、前記第２の表示部に対応する位置に透過開口部が貫通し、前記第２の表示部を照明する突条体を前記透過開口部の裏面側の縁部に突出させたことを特徴とする液晶表示装置である。
【００１４】
また、本発明は、第１の表示部である液晶セルと、前記液晶セルの裏面側に配され前記液晶セルを照明するバックライトと、前記バックライトは、導光板と前記導光板の側部に配された直管状のランプと反射板とを少なくとも有し、前記バックライトの裏面側に配置される第２の表示部が前記液晶セルの表面側から透けて見える液晶表示装置において、前記導光板の裏面には、前記第２の表示部に対応する位置に透過凹部が設けられ、前記第２の表示部を照明する突条体を前記透過凹部の裏面側の縁部に突出させたことを特徴とする液晶表示装置である。
【００１５】
また、本発明は、第１の表示部である液晶セルと、前記液晶セルの裏面側に配され前記液晶セルを照明するバックライトと、前記バックライトは、導光板と前記導光板の側部に配された直管状のランプと反射板とを少なくとも有し、前記バックライトの裏面側に配置される第２の表示部が前記液晶セルの表面側から透けて見える液晶表示装置において、前記導光板の表面には、前記第２の表示部に対応する位置に透過凹部が設けられ、前記第２の表示部を照明する突条体を、前記導光板の裏面であって前記透過凹部の縁部に相当する位置に突出させたことを特徴とする液晶表示装置である。
【発明の効果】
【００１６】
本発明であると、液晶セルの表面側から透けて見える第２の表示部が薄暗くならず、かつ、強度的にも強い。
【発明を実施するための最良の形態】
【００１７】
（第１の実施形態）
（１）液晶表示装置１０の構造
図１及び図２に基づいて第１の実施形態の液晶表示装置１０について説明する。図１は、液晶表示装置１０の縦断面図であり、図２は平面図である。
【００１８】
液晶表示装置１０は、ここでは、スロット遊技機における画像表示装置として使用されるものであり、第１の表示部として液晶セル１２と、液晶セル１２を照射するバックライト１４とよりなり、液晶セル１２とバックライト１４とは、金属製の額縁状のベゼルカバー１８に収納されている。また、液晶表示装置１０は、その裏面に配置される第２の表示部として回転式リール１６を、液晶表示装置１０の表面側から透過視認可能である。
【００１９】
液晶セル１２は、アクティブマトリックス型の液晶セルであって、アモルファスシリコンより形成された薄膜トランジスタを有しており、１５インチのサイズである。なお、不図示であるが、液晶セル１２には、信号線側駆動回路及び走査線側駆動回路を有した配線基板が接続されている。
【００２０】
液晶セル１２の裏面側に配されたバックライト１４は、導光板２０と、一対の直管状の冷陰極管からなるランプ２２，２２と、金属製の反射板２４と、光学シート２６とより構成されている。
【００２１】
導光板２０は、アクリル性の樹脂よりなり、その中央部に平面形状が矩形の透過開口部２８が貫通している。この透過開口部２８が設けられている位置は回転リール１６が配されている位置に相当し、大きさもこの回転リール１６よりも若干大きい程度に構成されている。また、透過開口部２８の裏面側の縁部には、額縁状に突条体３０が液晶表示装置１０裏面方向（図１の下方）に向かって突出している。この突条体３０は、断面形状が曲面、すなわち半円型となっている。
【００２２】
導光板２０の対向する両側部外方に沿ってランプ２２，２２がそれぞれ配され、また、このランプ２２と導光板２０の裏面を金属製の反射板２４が覆っている。但し、反射板２４は、透過開口部２８及び突条体３０の位置には設けられておらず、それ以外の部分の導光板２０を覆っている。
【００２３】
導光板２０の表面には、光学シート２６が積層されている。この光学シート２６は、拡散板、プリズムシートとを積層したものである。
【００２４】
回転リール１６は、バックライト１４の裏面側であって、透過開口部２８の位置に設けられ、バックライト１４から若干の間隔を開けて配されている。
【００２５】
（２）液晶表示装置１０の動作状態
液晶表示装置１０において、ランプ２２，２２を点灯すると、光が導光板２０の側部から入射し、反射板２４によって反射して光学シート２６に至る。光学シート２６は拡散板とプリズムシートより構成されているため、導光板２０の表面から照射された光が均一に液晶セル１２の裏面に入射し、液晶セル１２を照明する。
【００２６】
また、回転リール１６は、導光板２０の透過開口部２８を通じて、液晶セル１２の表面側から透けて見ることができる。この場合に、導光板２０に入射した光が、突条体３０の位置で、外方に出射し、回転リール１６の表面に当たり、回転リール１６を照明する。このため、回転リール１６の位置が明るくなり、液晶セル１２の表面側から透けて見た場合に、従来より明るく回転リール１６を認識することができる。例えば、従来技術の構造における回転リールの明るさと、本実施形態の明るさとの輝度比は２０％以上となる。
【００２７】
さらに、透過開口部２８の縁部には突条体３０が設けられているため、この突条体３０がリブの働きを行い、導光板２０の強度を高め、衝撃加速度２００Ｇによる衝撃に対してもクラックを発生させることがない。
【００２８】
（第２の実施形態）
第２の実施形態の液晶表示装置１０について、図３に基づいて説明する。
【００２９】
本実施形態と第１の実施形態の異なる点は、図３に示すように透過開口部２８の側壁に傾斜面３６が設けられている点にある。この傾斜面３６は、導光板２０の表面側ほど外方に拡がるように傾斜している。
【００３０】
この傾斜面３６を設けることにより、透過開口部２８の側壁である傾斜面３６から出射した光が効率よく光学シート２６に至り、より明るく液晶セル１２を照明することができる。
【００３１】
（第３の実施形態）
第３の実施形態の液晶表示装置１０について、図４に基づいて説明する。
【００３２】
本実施形態と第２の実施形態の異なる点は、傾斜面３６の構造にある。本実施形態の傾斜面３６は、図４に示すようにその傾斜面３６の表面上に凹凸を設けてプリズム形状に形成し、傾斜面３６から出射された光がより確実にかつ明るく液晶セル１２の裏面側に入射するようにしている。
【００３３】
（第４の実施形態）
第４の実施形態の液晶表示装置１０について、図５に基づいて説明する。
【００３４】
本実施形態と第２の実施形態の異なる点は、傾斜面３６の傾斜方向にある。第２の実施形態では、導光板２０の表面側ほど外方に拡がるように傾斜していたが、本実施形態では反対に、導光板２０の裏面側ほど外部に拡がるように傾斜面３６が設けられている。
【００３５】
このような傾斜面３６を設けると、傾斜面３６から出射した光が回転リール１６の表面に当たるようになり、回転リール１６がより明るく照明される。従って、液晶セル１２の表面側から透けて見た場合により明るく回転リール１６が表示される。
【００３６】
（第５の実施形態）
第５の実施形態の液晶表示装置１０について、図６に基づいて説明する。
【００３７】
本実施形態と第４の実施形態の異なる点は、傾斜面３６に凹凸を設けプリズム形状にした点にある。
【００３８】
このように傾斜面３６の表面をプリズム形状にすることにより、傾斜面３６から出射した光がより明るく、かつ、確実に回転リール１６の表面に当たるようになり、回転リール１６をより明るく照明することができる。
【００３９】
（第６の実施形態）
第６の実施形態の液晶表示装置１０について、図７に基づいて説明する。
【００４０】
本実施形態と第１の実施形態の異なる点は、第１の実施形態では回転リール１６の配される位置に、透過開口部２８を設けたが、本実施形態では、導光板２０の裏面側に透過凹部３８を設けた点にある。
【００４１】
このように透過凹部３８を設けることにより、回転リール１６の配される位置では、導光板２０の厚みが薄くなるため、液晶セル１２の表面側から回転リール１６を透けて見た場合に、明確に回転リール１６を認識することができる。
【００４２】
また、透過凹部３８の縁部には突条体３０が設けられているため、導光板２０の強度が上がり、さらに、貫通孔ではなく凹部が設けられている形状であるため、導光板２０の強度をより向上させることができる。
【００４３】
さらに、第１の実施形態と同様に、突条体３０からの光によって回転リール１６を照明するため、回転リール１６を明るく表示することができる。
【００４４】
（第７の実施形態）
第７の実施形態の液晶表示装置１０について、図８に基づいて説明する。
【００４５】
本実施形態と第６の実施形態の異なる点は、透過凹部３８の側壁に傾斜面４０が設けられている点にある。この傾斜面４０は、導光板２０の表面側ほど外方向に拡がるように傾斜している。
【００４６】
このような傾斜面４０を設けることにより、傾斜面４０から出射した光が液晶セル１２の裏面側に入射し、より明るく液晶セル１２を表示することができる。
【００４７】
（第８の実施形態）
第８の実施形態の液晶表示装置１０について、図９に基づいて説明する。
【００４８】
本実施形態と第７の実施形態の異なる点は、傾斜面４０に凹凸を設けプリズム状に形成した点にある。
【００４９】
このように傾斜面４０をプリズム状に形成することにより、傾斜面４０から出射した光がより明るく、かつ、確実に液晶セル１２に入射して、液晶セル１２をより明るく表示させることができる。
【００５０】
（第９の実施形態）
第９の実施形態の液晶表示装置１０について、図１０に基づいて説明する。
【００５１】
本実施形態と第７の実施形態の異なる点は、傾斜面４０の傾斜方向にある。本実施形態の傾斜面４０は、導光板２０の裏面側にいくほど外方に拡がるように傾斜している。
【００５２】
このような傾斜面４０を設けることにより、傾斜面４０から出射した光が回転リール１６に照射され、より明るく回転リール１６を照明することができる。
【００５３】
（第１０の実施形態）
第１０の実施形態の液晶表示装置１０について、図１１に基づいて説明する。
【００５４】
本実施形態と第９の実施形態の異なる点は、傾斜面４０に凹凸を設けてプリズム形状にした点にある。
【００５５】
このように傾斜面４０をプリズム形状にすることにより、傾斜面４０から出射した光がより明るく、確実に回転リール１６に当たり、より明るく回転リール１６を照明することができる。
【００５６】
（第１１の実施形態）
第１１の実施形態の液晶表示装置１０について、図１２に基づいて説明する。
【００５７】
本実施形態と第６の実施形態の異なる点は、透過凹部３８の設けている位置にある。本実施形態では、導光板２０の表面側に透過凹部３８を設け、この透過凹部３８の位置に相当する導光板２０の裏面側に突条体３０を設けた点にある。
【００５８】
本実施形態の液晶表示装置１０であっても、回転リール１６の位置の導光板２０の厚さが薄いため、液晶セル１２の表面から回転リール１６を透けて鮮明に見ることができる。また、突条体３０から出射した光が回転リール１６に当たるため、回転リール１６を明るく照明して認識することができる。
【００５９】
導光板２０には貫通孔ではなく透過凹部３８が設けられ、また、透過凹部３８の位置に突条体３０が設けられているため、導光板２０の強度をより向上させることができる。
【００６０】
（第１２の実施形態）
第１２の実施形態の液晶表示装置１０について、図１３に基づいて説明する。
【００６１】
本実施形態と第１１の実施形態の異なる点は、透過凹部３８の側壁部に傾斜面４０を設けた点にある。この傾斜面４０は、導光板２０の表面側ほど外側に拡がるように形成されている。
【００６２】
この傾斜面４０を設けることにより、傾斜面４０から出射した光が液晶セル１２に当たり、より明るく液晶セル１２を表示することができる。
【００６３】
（第１３の実施形態）
第１３の実施形態の液晶表示装置１０について、図１４に基づいて説明する。
【００６４】
本実施形態と第１２の実施形態の異なる点は、傾斜面４０に凹凸を設けプリズム形状にした点にある。
【００６５】
このように傾斜面４０をプリズム形状にすることにより、傾斜面４０から出射した光がより明るく、確実に液晶セル１２の裏面に入射して、液晶セル１２を明るく表示することができる。
【００６６】
（変更例）
本発明は上記各実施形態に限らず、その主旨を逸脱しない限り種々に変更することができる。
【００６７】
（１）変更例１
上記各実施形態ではバックライト１４の下方に所定間隔を開けて回転リール１６を配したが、これに代えて、回転リール１６の一部が、透過開口部２８、または、透過凹部３８の一部に収納されるように配してもよい。
【００６８】
（２）変更例２
上記実施形態では、第２の表示部として回転リール１６を用いたが、これ以外の表示装置を用いてもよい。
【００６９】
（３）変更例３
上記実施形態では、突条体３０の断面形状が半円型であったが、これに代えて、第２の表示部である回転リール１６を明るく照明する形状であれば、他の形状でもよい。
【産業上の利用可能性】
【００７０】
本発明は、スロット遊技機などの画像表示装置に好適である。
【図面の簡単な説明】
【００７１】
【図１】本発明の第１の実施形態を示す液晶表示装置の縦断面図である。
【図２】同じく液晶表示装置の平面図である。
【図３】第２の実施形態の液晶表示装置の縦断面図である。
【図４】第３の実施形態の液晶表示装置の縦断面図である。
【図５】第４の実施形態の液晶表示装置の縦断面図である。
【図６】第５の実施形態の液晶表示装置の縦断面図である。
【図７】第６の実施形態の液晶表示装置の縦断面図である。
【図８】第７の実施形態の液晶表示装置の縦断面図である。
【図９】第８の実施形態の液晶表示装置の縦断面図である。
【図１０】第９の実施形態の液晶表示装置の縦断面図である。
【図１１】第１０の実施形態の液晶表示装置の縦断面図である。
【図１２】第１１の実施形態の液晶表示装置の縦断面図である。
【図１３】第１２の実施形態の液晶表示装置の縦断面図である。
【図１４】第１３の実施形態の液晶表示装置の縦断面図である。
【図１５】従来の液晶表示装置の縦断面図である。
【図１６】従来の液晶表示装置の平面図である。
【符号の説明】
【００７２】
１０  液晶表示装置
１２  液晶セル
１４  バックライト
１６  回転リール
１８  ベゼルカバー
２０  導光板
２２  ランプ
２４  反射板
２６  光学シート
２８  透過開口部
３０  突条体
【図１】
2007071897.tif 000003
【図２】
2007071897.tif 000004
【図３】
2007071897.tif 000005
【図４】
2007071897.tif 000006
【図５】
2007071897.tif 000007
【図６】
2007071897.tif 000008
【図７】
2007071897.tif 000009
【図８】
2007071897.tif 000010
【図９】
2007071897.tif 000011
【図１０】
2007071897.tif 000012
【図１１】
2007071897.tif 000013
【図１２】
2007071897.tif 000014
【図１３】
2007071897.tif 000015
【図１４】
2007071897.tif 000016
【図１５】
2007071897.tif 000017
【図１６】
2007071897.tif 000018